(57)【要約】    【課題】裾部から引き出された紐が障害物等に引っ掛かることのないように始末されるレジャー用パンツの提供。    【解決手段】この釣用パンツ１０は、裾口２１を絞る紐１３を有する。紐１３は、裾口２１を取り囲むように裾部１９に内装されている。裾部１９に紐１３を保持する保持部が設けられている。保持部１４は、面ファスナー２５からなる。面ファスナー２５は一対のファスナー片２６、２７を備え、ファスナー片２６が裾部１９に張り付けられた状態で固定されている。【選択図】図２
2005232666.tif 000002
【特許請求の範囲】
【請求項１】
裾部から引き出されることによって裾口を絞るための紐が設けられたレジャー用パンツであって、
裾部から引き出された紐を裾部に沿って保持する保持部が設けられているレジャー用パンツ。
【請求項２】
上記保持部は、面ファスナーからなる請求項１に記載のレジャー用パンツ。
【請求項３】
上記面ファスナーは一対のファスナー片を備えており、一方のファスナー片が上記裾部に張り付けられた状態で固定されている請求項２に記載のレジャー用パンツ。
【請求項４】
上記保持部は、上記裾部に張り付けられた状態で固定された薄肉弾性板からなり、
当該薄肉弾性板は、上記紐が挿通され得る複数のスリットを有する請求項１に記載のレジャー用パンツ。
【請求項５】
上記保持部は、上記裾部から引き出された紐を収納するポケットからなる請求項１に記載のレジャー用パンツ。
【請求項６】
上記ポケットは、上記裾部の外側に設けられている請求項５に記載のレジャー用パンツ。
【請求項７】
上記裾口の内側に上記紐が引き出される引出孔が設けられており、
上記ポケットの内側に上記引出孔から引き出された紐が当該ポケット内に案内される挿通孔が設けられている請求項５又は６に記載のレジャー用パンツ。
【請求項８】
上記ポケットを閉じ姿勢に保持するロック部材が設けられている請求項５ないし７のいずれかに記載のレジャー用パンツ。
【請求項９】
上記ポケットは、当該ポケット内に配置された紐を上記裾部の内側に案内する案内孔を備えている請求項５ないし８のいずれかに記載のレジャー用パンツ。
【請求項１０】
上記紐は、予め上記ポケット内に配置され且つ上記案内孔を通って上記裾部の内部に延ばされており、
当該紐が上記案内孔を挿通することを規制するストッパーが当該紐の先端部に設けられている請求項９に記載のレジャー用パンツ。
【発明の詳細な説明】
【技術分野】
【０００１】
本発明は、レジャー用パンツ、具体的には、例えば釣人が釣場で着用するパンツの構造に関するものである。
【背景技術】
【０００２】
図１５は、従来の一般的なレジャー用パンツの正面図である。
このパンツ１は、例えば釣りの際に釣人がアウターウェアとして着用する。このパンツ１は、裾部２の裾口３が絞り込まれるようになっており、裾口３の周囲を取り囲むように紐４が裾部２に内装されている。また、裾部２には、紐止部材５が設けられており、紐４は、この紐止部材５に挿通されている。
【０００３】
図１６は、図１５の要部拡大図であって、パンツ１の裾部２が詳細に図示されている。
釣人は、所要時に裾口３を絞ることができる。具体的には、釣人が紐４を把持し引っ張ることにより、紐４が紐止部材５から引き出され、裾口３が絞られる。紐止部材５の構造は既知であり、引き出された紐は紐止部材５によって固定される。また、紐止部材５の頭部６が押圧されることによって、紐４は再び裾部２の内部に戻る。
【０００４】
なお、レジャー用パンツの裾部の構造が開示された文献については、例えば、特許文献１及び特許文献２が存在する。
【０００５】
【特許文献１】特開平１１−６１５１３号公報
【特許文献２】特開平１０−８８４０７号公報
【発明の開示】
【発明が解決しようとする課題】
【０００６】
従来のパンツ１では、引き出された紐４はそのまま放置され、場合によっては垂れ下がってしまうことがあった。釣人は通常釣場を移動するものであるし、釣場には紐４が引っ掛かってしまう障害物も多く存在する。したがって、釣人の移動中に紐４が障害物に引っ掛かったり、釣人自身が紐４を踏みつけてしまうおそれがあった。
【０００７】
そこで、本発明の目的は、裾部から引き出された紐を始末し、紐が障害物等に引っ掛かることのないレジャー用パンツを提供することである。
【課題を解決するための手段】
【０００８】
(1) 上記目的が達成されるため、本発明に係るレジャー用パンツは、裾部から引き出されることによって裾口を絞るための紐が設けられたレジャー用パンツであって、裾部から引き出された紐を裾部に沿って保持する保持部が設けられていることを特徴とするものである。
【０００９】
この構成によれば、レジャー用パンツの着用者は、紐を引っ張ることにより、裾口を絞ることができる。このとき、裾部から引き出された紐は、保持部によって裾部に沿わされた状態で保持される。この保持部として面ファスナーが採用されることによって、保持部はコスト安価に構成される。さらに、保持部として面ファスナーが採用されたとき、面ファスナーの一方のファスナー片が上記裾部に張り付けられた状態で固定されることによって、上記着用者は、他のファスナー片を片手で操作するだけで面ファスナーを簡単且つ迅速に開閉することができる。
【００１０】
(2) また、上記保持部は、上記裾部に張り付けられた状態で固定された薄肉弾性板から構成され得る。この薄肉弾性板には、上記紐が挿通され得る複数のスリットが形成される。このような薄肉弾性板から上記保持部が構成されることによって、上記紐は、いずれか２つのスリット間に挿通される。この紐は、薄肉弾性板の弾性力によって保持される。
【００１１】
(3) さらに、上記保持部は、上記裾部から引き出された紐を収納するポケットから構成されていてもよい。この構成では、上記紐は、ポケット内に完全に収容される。したがって、裾部から引き出された紐が障害物等に引っ掛かることが確実に防止される。
【００１２】
上記ポケットは、上記裾部の外側に設けられているのが好ましい。この構成では、上記ポケットは、レジャー用パンツの着用者の足の外側に位置することになる。したがって、当該着用者は、紐をポケットに収納する作業を容易且つ迅速に行うことができる。
【００１３】
上記裾口の内側に上記紐が引き出される引出孔が設けられ、上記ポケットの内側に上記引出孔から引き出された紐が当該ポケット内に案内される挿通孔が設けられているのが好ましい。この構成では、紐は、裾口の内側から引き出され、挿通孔を通って上記ポケットの内側から当該ポケット内に収容される。つまり、この紐は、外部に露出することがない。したがって、この紐が障害物に引っ掛かることが一層確実に防止されると共に、当該レジャー用パンツの外観が良くなる。
【００１４】
上記ポケットを閉じ姿勢に保持するロック部材が設けられているのが好ましい。この構成では、紐がポケット内に収容された状態で当該ポケットが閉じられる。これにより、レジャー用パンツの着用者が激しく運動したとしても、紐が容易にポケットから出てしまうことはない。
【００１５】
上記ポケットは、当該ポケット内に配置された紐を上記裾部の内側に案内する案内孔を備えているのが好ましい。この構成では、裾部から引き出された紐は、ポケットに収容されると共に、その一部が案内孔を通って裾部に戻される。すなわち、例えば引き出された紐の量が多い場合等には、その一部がポケットに収容され、残りの部分は裾部に収容されるので、上記ポケットが大きく膨らむことはない。したがって、ポケットが障害物に引っ掛かることも防止される。
【００１６】
上記紐は、予め上記ポケット内に配置され且つ上記案内孔を通って上記裾部の内部に延ばされていてもよい。その場合、当該紐が上記案内孔を挿通することを規制するストッパーが当該紐の先端部に設けられているのが好ましい。この構成では、紐は、予め上記挿通孔から引き出されて上記ポケットに収容され、且つ上記案内孔から裾部の内部に導入される。この状態でさらに紐が引っ張られると、当該紐は上記挿通孔からさらに引き出され、て裾口が絞られる。この引き出された紐は、案内孔から裾部に導入されるのであるが、この紐の先端部にストッパーが設けられているので、当該紐は、裾部から抜け落ちることはない。
【発明の効果】
【００１７】
以上のように本発明によれば、裾部から引き出された紐は、裾部に沿って保持されるから、紐は、他の障害物等に引っ掛かることがない。したがって、例えば釣りの際に、紐が磯等に引っ掛かることがなく、釣人は快適で安全な釣りを楽しむことができる。
【発明を実施するための最良の形態】
【００１８】
以下、適宜図面が参照されつつ、好ましい実施形態に基づいて本発明が詳細に説明される。
【００１９】
＜第１の実施形態＞
図１は、本発明の第１の実施形態に係る釣用パンツの正面図である。この釣用パンツ１０は、釣人が釣りの際にアウターウェアとして着用する。なお、本発明は、釣用パンツのみに適用されるものではなく、一般にレジャー用のパンツに適用されるものである。
【００２０】
釣用パンツ１０は、パンツ本体１１とパンツ本体１１に取り付けられたサスペンダー１２と、パンツ本体１１に内装された紐１３と、この紐１３を保持し得る保持部１４とを備えている。本実施形態に係る釣用パンツ１０の特徴とするところは、上記保持部１４が設けられている点であり、これにより、後述のように紐１３が垂れ下がることなく確実に保持され、釣人が安全に釣りを楽しむことができるようになっている。
【００２１】
パンツ本体１１は、透湿性防水生地（典型的にはゴアテックス（登録商標））等からなる。具体的には、パンツ本体１１は、上記生地が所定形状に裁断され、所定の要領で縫製される。本実施形態では、パンツ本体１１にはポケット１５〜１８が設けられ、釣人の便に供される。また、サスペンダー１２は、ゴムバンドからなる。サスペンダー１２が設けられることによって、釣用パンツ１０は、釣人の身体にフィットする。
【００２２】
紐１３は、パンツ本体１１の裾部１９に配置されている。具体的には、裾部１９の下端部２０は、裾口２１の周縁部に沿って袋状に形成されており、この下端部２０に紐１３が内装されている。また、裾部１９には、紐１３を固定する紐固定具２２が取り付けられている。なお、この紐固定具２２は外筒と中芯部材とを有し、両者間に紐１３が挟み込まれることによって当該紐１３が固定されるようになっている。紐固定具２２の構造は既知であるから、その詳しい説明は省略される。
【００２３】
図２は、釣用パンツ１０の要部拡大側面図である。
紐１３は環状に形成され、例えばナイロンから構成されている。紐１３は、同図が示すように、裾口２１を取り囲むように配置されている。裾部１９の下端部２０には紐１３が挿通される挿通孔２３が設けられている。紐１３の一部は、この挿通孔２３から露出しており、この露出した部分２４が上記紐固定具２２に挿通され固定されている。
【００２４】
上記保持部１４としては、本実施形態では面ファスナー２５（典型的にはマジックテープ（登録商標））が採用されている。面ファスナー２５は、一対のファスナー片２６、２７を備えており、一方のファスナー片２７に対して他方のファスナー片２６が着脱されるようになっている。
【００２５】
図３は、釣用パンツ１０の裾部１９の拡大図である。
同図が示すように、面ファスナー２５は裾部１９に縫いつけられている。具体的には、面ファスナー２５の上記一方のファスナー片２６が裾部１９の生地に縫いつけられており、これにより、一方のファスナー片２６は、裾部１９の生地に張り付けられた状態で固定されている。他方のファスナー片２７は、その一端部が上記一方のファスナー片２６の端部に固着されている。具体的には、他方のファスナー片２７の一端部が一方のファスナー片２６と共に上記裾部１９に縫いつけられている。他方のファスナー片２７の他端部２８は力学的に何ら拘束を受けない自由端であり、釣人は、他方のファスナー片２７の他端部２８を把持し、ファスナー片２７をファスナー片２６に接着させ、剥がすことができる。
【００２６】
図４は、釣用パンツ１０の要部拡大側面図であり、釣用パンツ１０の裾口２１が絞られた状態が図示されている。
この釣用パンツ１０を着用した釣人は、必要に応じて紐１３を引っ張ることができる。これにより、紐１３が裾部１９の下端部２０（図３参照）から引き出され、図４が示すように裾口２１が絞られる。
【００２７】
釣人は、図３が示すように、ファスナー片２７をファスナー片２６から剥がす。そして、釣人は、上記下端部２０から引き出された紐１３を裾部１９に沿って上方へ持ち上げると共に、これをファスナー片２６、２７の間に配置し、再びファスナー片２７をファスナー片２６に接着する。これにより、紐１３は、面ファスナー２５によって保持され、垂れ下がることはない。したがって、釣場において、紐１３が磯等に引っ掛かることはなく、釣人は、安全で快適な釣りを楽しむことができる。
【００２８】
特に本実施形態では、面ファスナー２５が採用されることによって、保持部１４が安価に構成されるという利点があり、さらに、面ファスナー２５の一方のファスナー片２６が裾部１９に張り付けられた状態で固定されるから、釣人は、他方のファスナー片２７を片手で操作するだけで面ファスナー２５を簡単且つ迅速に開閉することができるという利点もある。
【００２９】
なお、本実施形態では、上記下端部２０から引き出された紐１３は、上方に向かって裾部１９に沿って配置されるが、これに限定されるものではなく、裾口２１の周縁部に沿って（すなわち、釣人の足首を取り囲むように）配置されてもよい。
【００３０】
また、本実施形態では、図３が示すように、面ファスナー２５を構成する一方のファスナー片２６は、裾部１９に張り付けられた状態で固定されているが、両ファスナー片２６、２７の一端部２６ａ、２７ａのみが共に裾部１９に縫いつけられた構造が採用されてもよい。この場合、両ファスナー片２６、２７の他端部は共に自由端となる。
【００３１】
次に、本実施形態の変形例について説明される。
図５は、本実施形態の第１の変形例に係る釣用パンツ３０の要部拡大側面図である。
【００３２】
本変形例に係る釣用パンツ３０が上記実施形態に係る釣用パンツ１０と異なるところは、釣用パンツ１０では、面ファスナー２５が横方向、すなわち裾部１９の周方向に沿って延びるように配置されていたのに対し、釣用パンツ３０では、面ファスナー３１は、上下方向に沿って延びるように配置されている点である。
【００３３】
面ファスナー３１は、上記面ファスナー２５と同様に一対のファスナー片を備える。このように面ファスナー３１が配置されることによって、紐１３がより確実に面ファスナー３１によって保持されるので、紐１３の垂れ下がりがより確実に防止される。
【００３４】
図６は、本実施形態の第２の変形例に係る釣用パンツ４０の要部拡大側面図である。
本変形例に係る釣用パンツ４０が上記実施形態に係る釣用パンツ１０と異なるところは、釣用パンツ１０では、面ファスナー２５により保持部１４が構成されていたのに対し、釣用パンツ４０では、弾性板４１によって保持部１４が構成されている点である。
【００３５】
図７は、この弾性板４１の斜視図である。
同図が示すように、弾性板４１は薄肉矩形に形成され、例えば、シリコーン樹脂やポリウレタン等のエラストマーからなる。本変形例では、同図が示すように、弾性板４１の中央部４２が若干隆起しており、弾性板４１の周縁部４１ａが釣用パンツ４０の裾部１９に縫いつけられている。弾性板４１の中央部４２には、一対のスリット４３が設けられている。このスリット４３の両端部４４は、円形に切りかかれている。
【００３６】
釣用パンツ４０の裾部１９から引き出された紐１３は、各スリット４３に挿通される。これにより弾性板４１が弾性変形するが、そのときに生じる弾性力によって当該紐１３が弾性板４１に保持される。本変形例では、スリット４３の両端部４４が円形に切りかかれているから、紐１３が繰り返しスリット４３に出し入れされたとしても、スリット４３の両端部４４の疲労破壊が効果的に抑制される。また、弾性板４１を裾部１９に縫いつける作業は、上記実施形態に係る面ファスナー２５よりも容易であるから、釣用パンツ４０の縫製費が低減されるという利点もある。
【００３７】
図８は、本実施形態の第３の変形例に係る釣用パンツ５０の要部拡大図である。
本変形例に係る釣用パンツ５０が上記実施形態に係る釣用パンツ１０と異なるところは、釣用パンツ１０では、面ファスナー２５により保持部１４が構成されていたのに対し、釣用パンツ５０では、保持部１４がスナップファスナー５１により構成されている点である。
【００３８】
スナップファスナー５１は、スタッド片５２及びソケット片５３を有する。本変形例では、複数のソケット片５３が裾部１９に上下方向に沿って並設されており、スタッド片５２が紐１３（具体的には、露出した部分２４）に取り付けられている。本変形例では、紐１３が裾部１９の下端部２０から引き出された後、スタッド片５２がソケット片５３に嵌め込まれる。これにより、紐１３は垂れ下がることはない。
【００３９】
＜第２の実施形態＞
次に、本発明の第２の実施形態について説明される。
図９は、本発明の第２の実施形態に係る釣用パンツ６０の要部拡大側面図である。また、図１０は、図９におけるX−X断面斜視図である。
【００４０】
本実施形態に係る釣用パンツ６０が上記第１の実施形態に係る釣用パンツ１０と異なるところは、紐１３を保持する保持部１４が裾部１９に設けられたポケット６１から構成されている点、紐１３は、裾部１９の下端部２０の内側から引き出されるようになっている点、この引き出された紐１３は、上記ポケット６１に完全に収容されるようになっている点、及びこの紐１３の先端部６２には、抜け止め用のストッパー６３が取り付けられている点である。なお、その他の構成については、上記第１の実施形態に係る釣用パンツ１０と同様である。
【００４１】
図１１は、上記裾部１９の要部拡大斜視図であり、上記ポケット６１の構造が詳細に示されている。また、図１２は、上記裾部１９の要部拡大斜視図であり、上記下端部２０の構造が詳細に図示されている。
【００４２】
図１１が示すように、ポケット６１は、裾部１９の外側に設けられている。すなわち、ポケット６１は、釣人がこの釣用パンツ６０を着用した状態で、当該釣人の足の外側に位置するように設けられている。このポケット６１は、同図が示すように細長形状を呈しており、袋状に形成されている。本実施形態では、ポケット６１は上下方向（釣人の足の長手方向）に沿って形成されており、後に詳述されるが、紐１３がこのポケット６１に収容されるようになっている。
【００４３】
ポケット６１の具体的構造は、図１０が示す通りである。すなわち、ポケット６１は、パンツ本体１１の裾部１９を構成する生地６４、６５と、ポケット６１の一方の内壁面６６を構成する生地６７と、ポケット６１の他方の内壁面（内壁面６６と対向する壁面）を構成する生地６８とからなる。同図が示すように、生地６７の一方側縁部６９は、生地６４の端部に縫い付けられている。生地６８の一方側縁部７０は、生地６７の他方側縁部７１及び生地６５に縫い付けられている。生地６８の他方側縁部７２は、生地６５の端部に縫い付けられている。なお、同図では図示されていないが、生地６４と生地６５とは、連続している。つまり、生地６５と生地６８とによってフラップ７３が形成されており、このフラップ７３が生地６７に対して倒伏するようになっている。そして、このフラップ７３が起立されることによりポケット６１が開かれ、倒伏されることによりポケット６１が閉じられる。
【００４４】
図１１及び図１２が示すように、紐１３は、裾部１９の下端部２０の内部に収容されている。本実施形態では、紐１３の一端部７４は、下端部２０の内側に固定されている。紐１３は、裾口２１に沿って配置され、下端部２０の内側から引き出されている。具体的には、上記下端部２０の内側面に引出孔７６が設けられており、紐１３は、この引出孔７６を通って上記下端部２０の内側から外側へ引き出されている。本実施形態では、この引出孔７６にリング部材７７が設けられている。これにより、紐１３は、滑らかに引出孔７６から引き出される。上記下端部２０の内側には、紐固定具２２が取り付けられている。紐１３は、この紐固定具２２に挿通されている。なお、この紐固定具２２は、上記第１の実施形態に係る紐固定具２２と同様の構成である。
【００４５】
紐固定具２２に挿通された紐１３は、上記ポケット６１の内側から当該ポケット６１に導入されている。具体的には、上記ポケット６１を構成する生地６７に挿通孔７８が設けられている。紐１３は、この挿通孔７８を通ってポケット６１の内部に挿入されている。なお、この挿通孔７８にもリング部材７７が設けられている。
【００４６】
この挿通孔７８を通ってポケット６１内に案内された紐１３は、図１１が示すように、ポケット６１の内壁面６６に沿って延ばされている。本実施形態では、ポケット６１の内部に紐固定帯７９が取り付けられている。この紐固定帯７９は、矩形の布が環状に形成され、上記内壁面６６に縫い付けられている。紐１３は、この紐固定帯７９に挿通されており、これにより、紐１３は、ポケット６１内で確実に保持される。
【００４７】
ポケット６１の内部には、面ファスナー８０（ロック部材）が取り付けられている。この面ファスナー８０は、一対のファスナー片８１、８２を備えている。一方のファスナー片８１は上記生地６７に固定され、他方のファスナー片８２は上記生地６８に固定されている。上記フラップ７３が閉じられることによって、両ファスナー片８１、８２が接着し、これにより、ポケット６１は、当該閉じ姿勢が保持される。なお、面ファスナー８０に代えて、スナップファスナーが採用されてもよいことは勿論である。
【００４８】
ポケット６１内に挿入された紐１３は、再び上記裾部１９に挿入されている。具体的には、上記ポケット６１を構成する生地６７（図１０参照）に案内孔８３が設けられている。紐１３は、この案内孔８３を通ってポケット６１から裾部１９の内側に延びている。なお、この案内孔８３にもリング部材７７が設けられている。
【００４９】
図１０及び図１１が示すように、紐１３の先端部にはストッパー８４が設けられている。本実施形態では、このストッパー８４は、略五角形状に形成され、樹脂板から構成されている。ストッパー８４の外径寸法は、特に限定されるものではないが、上記案内孔８３の内径寸法よりも大きく設定されている。つまり、ストッパー８４が設けられることによって、紐１３の先端部は、裾部１９側からポケット６１側へ挿通することができないようになっている。したがって、紐１３が裾部１９から抜け落ちてしまうことはない。
【００５０】
本実施形態に係る釣用パンツ６０では、裾部１９の下端部２０から引き出された紐１３は、ポケット６１内に完全に収容される。したがって、この紐１３が磯等に引っ掛かることが確実に防止され、釣人は、一層安全で快適な釣りを楽しむことができる。
【００５１】
特に、釣人がこの釣用パンツ６０を着用したときには、ポケット６１は、釣人の足の外側に位置するので、当該釣人は、紐１３をポケット６１に収納する作業を容易且つ迅速に行うことができるという利点がある。
【００５２】
また、本実施形態では、図１２が示すように、紐１３はが裾口２１の内側から引き出され、挿通孔７８を通ってポケット６１の内側から当該ポケット６１内に収容される。つまり、紐１３は、外部に露出することがない。したがって、紐１３が磯等に引っ掛かることが一層確実に防止される。しかも、紐１３が外部に露出しないことから、この釣用パンツ６０の外観が良くなるという利点もある。
【００５３】
さらに、本実施形態では、上記面ファスナー８０が設けられているので、ポケット６１が閉じ姿勢に保持される。つまり、紐１３がポケット６１内に収容された状態で当該ポケット６１が確実に閉じられる。これにより、仮に釣人が激しく運動したとしても、紐１３が容易にポケット６１から出てしまうことはない。特に、前述のように、ポケット６１の内部には上記紐固定帯７９が設けられているから、紐１３はポケット６１の外部に出てしまうことは確実に防止される。
【００５４】
また、本実施形態では、ポケット６１に収容された紐１３の一部は、上記案内孔８３を通って裾部１９内に戻される。したがって、例えば釣人が裾口２１を強く絞った場合等、引き出される紐１３の量が多いときには、紐１３が裾部１９戻されることによってポケット６１が大きく膨らむことはない。その結果、ポケット６１が磯等に引っ掛かることも防止される。
【００５５】
＜第３の実施形態＞
次に、本発明の第３の実施形態について説明される。
図１３は、本発明の第３の実施形態に係る釣用パンツ９０の裾部１９の要部拡大斜視図であり、上記ポケット６１の構造が詳細に示されている。また、図１２は、上記裾部１９の要部拡大斜視図であり、裾部１９の下端部２０の構造が詳細に図示されている。
【００５６】
本実施形態に係る釣用パンツ９０が上記第２の実施形態に係る釣用パンツ６０と異なるところは、釣用パンツ６０では、紐１３の一端部７４が裾部１９の下端部２０の内側に固定されており、紐１３は裾口２１に沿って配置され、当該紐１３の他端部が上記下端部２０の内側から引き出されているのに対し（図１１、図１２参照）、本実施形態に係る釣用パンツ９０では、図１３及び図１４が示すように、紐１３が予め環状に形成され、これが上記裾口２１を取り囲むように配置されている点、この紐１３の一部が上記下端部２０の内側から引き出され、当該引き出された紐１３が上記ポケット６１内に完全に収容されている点、及び紐１３に抜止リング９１が設けられている点である。なお、その他の構成については、上記第２の実施形態に係る釣用パンツ６０とほぼ同様である。
【００５７】
予め環状に形成された紐１３は、裾部１９の下端部２０の内部に収容されている。紐１３は、裾口２１に沿って配置され、下端部２０の内側から引き出されている。具体的には、上記下端部２０の内側面に一対の引出孔７６が設けられており、紐１３は、これら引出孔７６を通って上記下端部２０の内側から外側へ引き出されている。もっとも、引出孔７６は、単一であってもよい。本実施形態においても各引出孔７６にそれぞれリング部材７７が設けられている。これにより、紐１３は、滑らかに引出孔７６から引き出される。上記下端部２０の内側には、紐固定具２２が取り付けられている。各引出孔７６から引き出された紐１３は、この紐固定具２２に挿通されている。なお、この紐固定具２２は、上記第２の実施形態に係る紐固定具２２と同様の構成である。
【００５８】
紐固定具２２に挿通された紐１３は、上記ポケット６１の内側から当該ポケット６１に導入されている。具体的には、上記第２の実施形態に係る釣用パンツ６０と同様に、上記ポケット６１を構成する生地６７に挿通孔７８が設けられており、紐１３は、この挿通孔７８を通ってポケット６１の内部に挿入されている。なお、この挿通孔７８にもリング部材７７が設けられている。
【００５９】
この挿通孔７８を通ってポケット６１内に案内された紐１３は、図１３が示すように、ポケット６１の内壁面６６に沿って延ばされている。本実施形態では、上記抜止リング９１が紐１３に設けられているから、紐１３が引き戻されて紐固定具１３から外れてしまうことはない。この抜止リング９１は、樹脂や金属により構成される。もっとも、紐１３が紐固定具１３から外れることを防止する手段としては、この抜止リング９１に代えて他の抜止部材が設けられていてもよい。要するに、紐固定具１３を挿通することができない部材が紐１３に設けられていればよい。
【００６０】
ポケット６１の内部には、上記面ファスナー８０が取り付けられている。前述のように、上記フラップ７３が閉じられることによって、両ファスナー片８１、８２が接着し、これにより、ポケット６１は、当該閉じ姿勢が保持される。なお、面ファスナー８０に代えて、スナップファスナーが採用されてもよいことは勿論である。このように、ポケット６１が閉じ姿勢となることによって、ポケット６１内に配置された紐１３は、上記フラップ７３によって確実に保持される。
【００６１】
本実施形態に係る釣用パンツ９０では、上記第２の実施形態に係る釣用パンツ６０と同様に、裾部１９の下端部２０から引き出された紐１３は、ポケット６１内に完全に収容される。したがって、この紐１３が磯等に引っ掛かることが確実に防止され、釣人は、一層安全で快適な釣りを楽しむことができる。
【００６２】
特に、環状に形成された紐１３が上記裾口２１の周りに配置されているので、釣人が紐１３を引っ張ったときは、上記裾口２１が迅速に絞られるという利点がある。つまり、この釣用パンツ９０では、上記第２の実施形態に係る釣用パンツ６０に比べて、紐１３の引張ストロークが同一であれば、裾口２１の内径寸法は２倍小さくなる。換言すれば、釣人にとって、裾口２１を絞るための紐１３の引張ストロークは、上記第２の実施形態に係る釣用パンツ６０に比べて二分の一である。したがって、上記ポケット６１に収容される紐１３の量も少なくなり、紐１３は、ポケット６１にコンパクトに収容される。
【００６３】
第２の実施形態と同様に、紐１３はポケット６１内に収容され、外部に露出することがない。したがって、紐１３が磯等に引っ掛かることが一層確実に防止される。しかも、紐１３が外部に露出しないことから、この釣用パンツ６０の外観が良くなる。また、上記面ファスナー８０が設けられているので、ポケット６１が閉じ姿勢に保持される。したがって、ポケット６１内に収容された紐１３は、仮に釣人が激しく運動したとしても、容易にポケット６１から出てしまうことはない。
【００６４】
本実施形態では、紐１３は、裾部１９の内側に挿通されていないが、上記第２の実施形態に係る釣用パンツ６０と同様に、ポケット６１内に案内孔が設けられ、裾部１９から引き出された紐１３が再び裾部１９に戻されていてもよい。また、上記各実施形態及びその変形例では、保持部１４の様々な態様が開示されているが、保持部１４はこれらの構造に限定されるものではない。要するに、保持部１４は、紐１３を裾部１９に沿って保持することができる構造であれば、他の構造も採用され得る。
【産業上の利用可能性】
【００６５】
本発明は、レジャーの際に着用されるレジャー用パンツに適用され得る。
【図面の簡単な説明】
【００６６】
【図１】図１は、本発明の一実施形態に係る釣用パンツの正面図である。
【図２】図２は、本発明の一実施形態に係る釣用パンツの要部拡大側面図である。
【図３】図３は、本発明の一実施形態に係る釣用パンツの裾部の拡大図である。
【図４】図４は、本発明の一実施形態に係る 釣用パンツの要部拡大側面図である。
【図５】図５は、本実施形態の第１の変形例に係る釣用パンツの要部拡大側面図である。
【図６】図６は、本実施形態の第２の変形例に係る釣用パンツの要部拡大側面図である。
【図７】図７は、本実施形態の第２の変形例に係る釣用パンツの弾性板の斜視図である。
【図８】図８は、本実施形態の第３の変形例に係る釣用パンツの要部拡大図である。
【図９】図９は、本発明の第２の実施形態に係る釣用パンツの要部拡大側面図である。
【図１０】図１０は、図９におけるX−X断面斜視図である。
【図１１】図１１は、本発明の第２の実施形態に係る釣用パンツの裾部の要部拡大斜視図である。
【図１２】図１２は、本発明の第２の実施形態に係る釣用パンツの裾部の要部拡大斜視図である。
【図１３】図１３は、本発明の第３の実施形態に係る釣用パンツの裾部の要部拡大斜視図である。
【図１４】図１４は、本発明の第３の実施形態に係る釣用パンツの裾部の要部拡大斜視図である。
【図１５】図１５は、従来の一般的なレジャー用パンツの正面図である。
【図１６】図１６は、図１５の要部拡大図である。
【符号の説明】
【００６７】
１０・・・釣用パンツ
１１・・・パンツ本体
１３・・・紐
１４・・・保持部
１９・・・裾部
２０・・・下端部
２１・・・裾口
２２・・・紐固定具
２４・・・露出した部分
２５・・・面ファスナー
２６・・・一方のファスナー片
２７・・・他方のファスナー片
２８・・・他端部
３０・・・釣用パンツ
３１・・・面ファスナー
４０・・・釣用パンツ
４１・・・弾性板  
４２・・・中央部
４３・・・スリット
４４・・・端部
５０・・・釣用パンツ
５１・・・スナップファスナー
５２・・・スタッド片
５３・・・ソケット片
６０・・・釣用パンツ
６１・・・ポケット
６２・・・紐の先端部
６３・・・ストッパー
６４・・・生地
６５・・・生地
６６・・・一方の内壁面
６７・・・生地
６８・・・生地
６９・・・一方側縁部
７０・・・一方側縁部
７１・・・他方側縁部
７２・・・他方側縁部
７３・・・フラップ
７４・・・紐の一端部
７６・・・引出孔
７７・・・リング部材
７８・・・挿通孔
８０・・・面ファスナー
８３・・・案内孔
８４・・・ストッパー
９０・・・釣用パンツ
【図１】
2005232666.tif 000003
【図２】
2005232666.tif 000004
【図３】
2005232666.tif 000005
【図４】
2005232666.tif 000006
【図５】
2005232666.tif 000007
【図６】
2005232666.tif 000008
【図７】
2005232666.tif 000009
【図８】
2005232666.tif 000010
【図９】
2005232666.tif 000011
【図１０】
2005232666.tif 000012
【図１１】
2005232666.tif 000013
【図１２】
2005232666.tif 000014
【図１３】
2005232666.tif 000015
【図１４】
2005232666.tif 000016
【図１５】
2005232666.tif 000017
【図１６】
2005232666.tif 000018